(57)【要約】【課題】  一の通信端末から特段の指示情報を都度受信しなくても、一の通信端末と他の通信端末とに表示するデータを連動させることができる表示連動システムの提供。【解決手段】  この表示連動システム１０は、携帯電話機３０に表示するデータと大型ディスプレイ３５に表示するデータとを連動させるものであって、携帯電話機３０の携帯電話ＩＤと大型ディスプレイ３５の表示装置ＩＤとを含む連携要求に基づいて、携帯電話機３０及び大型ディスプレイ３５のそれぞれに表示されるデータが連動するように携帯電話機３０及び大型ディスプレイ３５へ送信するデータを管理する連携管理部１０３と、連携管理部１０３からの連携指示に応じ、大型ディスプレイ３５の表示特性に基づいて、大型ディスプレイ３５に表示するデータを生成する第二配信情報生成部１０５と、を備える。【選択図】  図１
2005149230.tif 000002
【特許請求の範囲】
【請求項１】
第一の通信端末の第一表示手段に表示するデータと第二の通信端末の第二表示手段に表示するデータとを連動させる表示連動システムであって、
前記第一の通信端末を特定するための第一端末特定情報と、前記第二の通信端末を特定するための第二端末特定情報と、を含む連携要求に基づいて、前記第一表示手段及び前記第二表示手段のそれぞれに表示されるデータが連動するように前記第一の通信端末及び前記第二の通信端末へ送信するデータを管理する連携管理手段と、
当該連携管理手段からの連携指示に応じ、前記第一表示手段及び前記第二表示手段それぞれの表示特性に基づいて、前記第一表示手段及び前記第二表示手段それぞれに表示するデータを生成する表示情報生成手段と、
を備える表示連動システム。
【請求項２】
前記連携管理手段は、前記第一の通信端末において前記第一表示手段に表示されているデータの表示範囲が変更された場合に、前記第一の通信端末から当該変更に関する情報を受信し、更に、
当該受信した変更に関する情報に基づいて、前記第一表示手段に表示されているデータの表示範囲の変更量を抽出する制御量抽出手段と、
当該抽出した変更量に基づいて前記第二表示手段に表示されているデータの表示範囲の変更量を決定する制御量決定手段と、を備え、
前記表示情報生成手段は、当該決定した変更量に基づいて前記第二表示手段に表示する内容を決定する、請求項１に記載の表示連動システム。
【発明の詳細な説明】
【技術分野】
【０００１】
本発明は、第一の通信端末の第一表示手段に表示するデータと第二の通信端末の第二表示手段に表示するデータとを連動させる表示連動システムに関する。
【背景技術】
【０００２】
携帯電話機に送信される情報を、街頭に設置された公衆ディスプレイ装置へ転送させて、その公衆ディスプレイ装置に表示させる技術が開示されている（下記特許文献１参照。）。
【特許文献１】特開２００３−２２２２７号公報
【発明の開示】
【発明が解決しようとする課題】
【０００３】
上記特許文献１には、携帯電話機に送信される情報（例えば、ウェブページの情報）がそのまま公衆ディスプレイ装置に転送されている。従って、一般的には携帯電話機の表示部よりも公衆ディスプレイ装置にはより多くの情報が表示できるのにも関わらず、両者に同じ情報が送られて表示されることから、公衆ディスプレイ装置の性能を十分に生かすことができない。
【０００４】
また上記特許文献１には、携帯電話機用の情報が格納されている場所を特定する情報（ＵＲＬ等）と、公衆ディスプレイ用の情報が格納されている場所を特定する情報（ＵＲＬ等）と、を関連付けて格納しておき、携帯電話機からＵＲＬを受信すると、その受信したＵＲＬに関連付けられている公衆ディスプレイ用のＵＲＬに基づいて公衆ディスプレイ用の情報を取得する技術も開示されている。
【０００５】
しかしながら、上記特許文献１に開示されている技術では、予め携帯電話機用と公衆ディスプレイ用とにそれぞれ作成された情報の格納場所を関連付けて持っているにすぎず、次のような解決すべき点がある。すなわち、上記特許文献１に開示されている技術では、携帯電話機から新たなＵＲＬが送信されること、すなわちデータの送信要求が指示情報として上がらない限り携帯電話機に表示されるデータと公衆ディスプレイに表示されるデータとを連動させることができない。
【０００６】
そこで本発明では、一の通信端末から特段の指示情報を都度受信しなくても、一の通信端末と他の通信端末とに表示するデータを連動させることができる表示連動システムを提供することを課題とする。
【課題を解決するための手段】
【０００７】
本発明の表示連動システムは、第一の通信端末の第一表示手段に表示するデータと第二の通信端末の第二表示手段に表示するデータとを連動させる表示連動システムであって、（１）第一の通信端末を特定するための第一端末特定情報と、第二の通信端末を特定するための第二端末特定情報と、を含む連携要求に基づいて、第一表示手段及び第二表示手段のそれぞれに表示されるデータが連動するように第一の通信端末及び第二の通信端末へ送信するデータを管理する連携管理手段と、（２）当該連携管理手段からの連携指示に応じ、第一表示手段及び第二表示手段それぞれの表示特性に基づいて、第一表示手段及び第二表示手段それぞれに表示するデータを生成する表示情報生成手段と、を備える。
【０００８】
本発明によれば、連携管理手段が第一表示手段及び第二表示手段のそれぞれに表示するデータを連動するように管理するので、例えば、第一の通信端末から都度指示情報を受け取らなくても第一表示手段及び第二表示手段に表示するデータを連動することができる。第一表示手段及び第二表示手段それぞれの表示特性（例えば、表示手段の画面サイズ、解像度）に基づいて、第一表示手段及び第二表示手段それぞれに表示するデータを生成するので、それぞれの表示特性に適合したデータを生成できる。
【０００９】
また本発明の表示連動システムでは、連携管理手段は、第一の通信端末において第一表示手段に表示されているデータの表示範囲が変更された場合に、第一の通信端末から当該変更に関する情報を受信し、更に、当該受信した変更に関する情報に基づいて、第一表示手段に表示されているデータの表示範囲の変更量を抽出する制御量抽出手段と、当該抽出した変更量に基づいて第二表示手段に表示されているデータの表示範囲の変更量を決定する制御量決定手段と、を備え、表示情報生成手段は、当該決定した変更量に基づいて第二表示手段に表示する内容を決定することも好ましい。第一表示手段に表示されているデータの表示範囲が変更された場合（例えば、画面がスクロールされた場合）に、その変更量に基づいて第二表示手段に表示されているデータの表示範囲の変更量を決めるので、第二表示手段の表示特性に合わせてデータの表示範囲を変更できる。
【発明の効果】
【００１０】
本発明の表示連動システムによれば、第一の通信端末から特段の指示情報を都度受信しなくても、第一の通信端末の第一表示手段と第二の通信端末の第二表示手段とに表示するデータを連動させることができる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
初めに、本実施形態の表示連動システムを利用することによって実現できるサービスの一例について説明する。このサービスは、観光地の最寄駅に設置された大型ディスプレイ（第二の通信端末）と、ユーザが持っている携帯電話機（第一の通信端末）と、サービス提供業者が運用するコンピュータシステム（表示連動システム）とを利用することで提供される。まず、ユーザは自身の携帯電話機を大型ディスプレイに近づけて、自身の携帯電話機の電話番号を大型ディスプレイに送信し、大型ディスプレイからコンピュータシステムへ転送される。この際に、大型ディスプレイを特定する情報も併せて送信される。この結果、コンピュータシステムはユーザの携帯電話機と大型ディスレプレイを関連付け、それぞれのディスプレイ部に表示される画面を連動させるための情報処理を行う。
【００１３】
ユーザが持っている携帯電話機のディスプレイ部には、まず図６（Ａ）に示すような画面が表示される。図６（Ａ）に示す例では、「観光地」のお勧め情報として「１．マイスケジュール」「２．おすすめコース」「３．観光地って？」といったインデックスが表示されている。ここでユーザが利用しているサービスは観光地でお勧めの情報を提供するサービスである。図６（Ａ）において「２．おすすめコース」を選択すると、ユーザの携帯電話機のディスプレイ部には図６（Ｂ）に示すような画面が表示される。図６（Ｂ）に示す例では、「おすすめコース」として「１．美術館巡り」「２．博物館巡り」「３．歴史探訪」「４．お山眺望」が提案されている。
【００１４】
ユーザの携帯電話機のディスプレイ部に図６（Ｂ）に例示する画面が表示されると、大型ディスプレイのディスプレイ部には図７に例示するような画面が表示される。図７に示す例では、「おすすめコースのご案内」として「美術館巡り」「博物館巡り」「歴史探訪」「お山眺望」のそれぞれのコースの「コース名」「タイムスケジュール」「場所」が表示されている。例えば、「歴史探訪」であれば、「１０：００〜１１：００」に「旧街道」を見学し、「１１：００〜１１：１０」で「旧街道」から「関所」に移動し、「１１：１０〜１２：００」で「関所」を見学するといった情報を診ることができる。図７に示す情報量は携帯電話機のディスプレイ部において表示するには多いけれども、大型ディスプレイのディスプレイ部に表示するには適当な量であって、ユーザは容易に各おすすめコースのスケジュールを確認できる。
【００１５】
更に、図６（Ｂ）において「３．歴史探訪」を選択すると、ユーザの携帯電話機のディスプレイ部には図６（Ｃ）に示すような画面が表示される。図６（Ｃ）に示す例では、「歴史探訪」の内容として「１．旧街道」「２．関所」「３．温泉谷」「４．杉並木」が表示されている。
【００１６】
ユーザの携帯電話機のディスプレイ部に図６（Ｃ）に例示する画面が表示されると、大型ディスプレイのディスプレイ部には図８に例示するような画面が表示される。図８に示す例では、この観光地の地図が表示されると共に、「歴史探訪」のコースとなっている「旧街道」「関所」「温泉谷」「杉並木」の写真が表示されている。図８に示す情報量は携帯電話機のディスプレイ部において表示するには多いけれども、大型ディスプレイのディスプレイ部に表示するには適当な量であって、ユーザは容易に各立ち寄りポイントの様子を確認できる。
【００１７】
引き続いて、本実施形態の表示連動システムについて説明する。図１に表示連動システム１０の構成を示す。表示連動システム１０は、移動体通信網４０を介して携帯電話機３０（第一の通信端末）と、固定網４５を介して大型ディスプレイ３５（第二の通信端末）と、それぞれ情報通信可能なように構成されている。携帯電話機３０はユーザが使用する通信端末であって、移動体通信網４０を介しての情報通信が可能であると共に、近距離無線通信を利用して大型ディスプレイ３５とも情報通信が可能である。携帯電話機３０はディスプレイ部（第一表示手段、図示しない）を備えており、移動体通信網４０を介して受信した情報を表示することが可能である。大型ディスプレイ３５は、街頭に設置されているプラズマディスプレイといった画像表示装置であって、固定網４５を介しての情報通信が可能であると共に、近距離無線通信を利用して携帯電話機３０とも情報通信が可能である。大型ディスプレイ３５は、ディスプレイ部（第二表示手段、図示しない）を備えており、固定網４５を介して受信した情報を表示することが可能である。
【００１８】
引き続いて、表示連動システム１０について説明する。表示連動システム１０は物理的には、ＣＰＵ（中央処理装置）、メモリ、マウスやキーボードといった入力装置、ディスプレイといった表示装置、ハードディスクといった格納装置などを備えたコンピュータシステム（若しくはコンピュータシステムの集合体）である。表示連動システム１０は機能的な構成要素として、第一送受信部１０１と、第一配信情報生成部１０２（表示情報生成手段）と、連携管理部１０３（連携管理手段）と、第二送受信部１０４と、第二配信情報生成部１０５（表示情報生成手段）と、制御量抽出部１０６（制御量抽出手段）と、制御量決定部１０７（制御量決定手段）と、格納領域１５０を構成する連係情報格納部１５１、配信情報格納部１５２、端末情報格納部１５３と、を含む。引き続いて各構成要素について説明する。
【００１９】
第一送受信部１０１は、移動体通信網４０を介して携帯電話機３０と情報やデータの送受信を行う部分である。第一送受信部１０１は、携帯電話機３０から受信した情報及びデータを第一配信情報生成部１０２及び連携管理部１０３に出力する。第一送受信部１０１は、第一配信情報生成部１０２及び連携管理部１０３から出力される情報及びデータであって、携帯電話機３０に送信すべきものを携帯電話機３０に移動体通信網４０を介して送信する。
【００２０】
第一配信情報生成部１０２は、携帯電話機３０のディスプレイ部（図示しない）に表示するデータを生成する部分である。第一配信情報生成部１０２は、携帯電話機３０から送信されるデータの配信要求を第一送受信部１０１から受け取って、その配信要求に適合するデータを格納領域１５０の配信情報格納部１５２から抽出して第一送受信部１０１に携帯電話機３０に送信すべきデータとして出力する。
【００２１】
ここで、配信情報格納部１５２に格納されている情報の例を図３（Ａ）及び図３（Ｂ）に示す。図３（Ａ）に示す例によれば、配信情報格納部１５２には「情報ＩＤ」と「データ」と「画像ドットサイズ」とが関連付けられて格納されている。「情報ＩＤ」は各データを特定するための情報である。「データ」は各データの実体的な内容である。「画像ドットサイズ」はそのデータのドットサイズを示している。図３（Ｂ）に示す例によれば、配信情報格納部１５２には「情報ＩＤ」と「データ」と「適合端末」とが関連付けられて格納されている。「情報ＩＤ」は各データを特定するための情報である。「データ」は各データの実体的な内容である。「適合端末」はそのデータを表示するのに適している端末を示す情報である。
【００２２】
図１に戻って、第一配信情報生成部１０２は、携帯電話機３０から送信される配信要求を受け取ると、その配信要求に含まれる携帯電話機３０の機種コードを読み取る。第一配信情報生成部１０２は、この読み取った機種コードに基づいて格納領域１５０の端末情報格納部１５３に格納されている当該機種のディスプレイ部の表示特性（画像ドットサイズ、画面サイズ）を特定する。第一配信情報生成部１０２はこの特定した表示特性に基づいて、配信情報格納部１５２に格納されている情報から抽出した送信すべきデータを、携帯電話機３０のディスプレイ部に適切に表示できるように加工する。また、第一配信情報生成部１０２は、読み取った機種コードから送信元を携帯電話機であると特定し、図３（Ｂ）に示すように「適合端末」が携帯電話機であるデータを抽出してもよい。
【００２３】
ここで、端末情報格納部１５３に格納されている情報の例を図４（Ａ）及び図４（Ｂ）に示す。図４（Ａ）には対象機種が携帯電話機である場合の例を、図４（Ｂ）には対象機種が大型ディスプレイである場合の例をそれぞれ示している。図４（Ａ）及び図４（Ｂ）には、「機種コード」と「画像ドットサイズ」と「画面サイズ」とが関連付けられて格納されている。「画像ドットサイズ」及び「画面サイズ」は各ディスプレイ部の表示特性として取り扱われる情報である。
【００２４】
図１に戻って、第二送受信部１０４は、固定網４５を介して大型ディスプレイ３５と情報やデータの送受信を行う部分である。第二送受信部１０４は、大型ディスプレイ３５から受信した情報及びデータを第二配信情報生成部１０５及び連携管理部１０３に出力する。第二送受信部１０４は、第二配信情報生成部１０５及び連携管理部１０３から出力される情報及びデータであって、大型ディスプレイ３５に送信すべきものを大型ディスプレイ３５に固定網４５を介して送信する。
【００２５】
第二配信情報生成部１０５は、大型ディスプレイ３５のディスプレイ部（図示しない）に表示するデータを生成する部分である。第二配信情報生成部１０５は、連携管理部１０３から出力される連携指示（詳細は後述する）に応じ、大型ディスプレイ３５のディスプレイ部（図示しない）の表示特性に基づいて、大型ディスプレイ３５のディスプレイ部に表示するデータを生成する部分である。より具体的に第二配信情報生成部１０５は、連携指示に適合するデータを格納領域１５０の配信情報格納部１５２から抽出して大型ディスプレイ３５に送信すべきデータとして第二送受信部１０４に出力する。図３（Ａ）及び図３（Ｂ）を参照して既に説明したように、配信情報格納部１５２には「情報ＩＤ」と「データ」と「画像ドットサイズ」とが関連付けられ、また別の例では「情報ＩＤ」と「データ」と「適合端末」とが関連付けられて格納されている。
【００２６】
第二配信情報生成部１０５は、連携管理部１０３から連携指示を受け取ると、その連携指示に含まれる大型ディスプレイ３５の機種コードを読み取る。第二配信情報生成部１０５は、この読み取った機種コードに基づいて格納領域１５０の端末情報格納部１５３に格納されている当該機種のディスプレイ部の表示特性（画像ドットサイズ、画面サイズ）を特定する。第二配信情報生成部１０５はこの特定した表示特性に基づいて、配信情報格納部１５２に格納されている情報から抽出した送信すべきデータを、大型ディスプレイ３５のディスプレイ部に適切に表示できるように加工する。また、第二配信情報生成部１０５は、読み取った機種コードからデータの送信先を大型ディスプレイであると特定し、図３（Ｂ）に示すように「適合端末」が大型ディスプレイであるデータを抽出してもよい。
【００２７】
また、第二配信情報生成部１０５は、制御量決定部１０７から出力される、大型ディスプレイ３５のディスプレイ部（図示しない）に表示されているデータの表示範囲の変更量に基づいて、大型ディスプレイ３５のディスプレイ部（図示しない）に表示する内容を決定し、その決定に応じたデータを生成する（詳細は後述する）。
【００２８】
連携管理部１０３は、携帯電話機３０を特定するための携帯電話ＩＤ（第一端末特定情報）と、大型ディスプレイ３５を特定するための表示装置ＩＤ（第二端末特定情報）と、を含む連携要求に基づいて、携帯電話機３０のディスプレイ部及び大型ディスプレイ３５のディスプレイ部のそれぞれに表示されるデータが連動するように携帯電話機３０及び大型ディスプレイ３５に送信されるデータを管理する部分である。より具体的には、携帯電話機３０の携帯電話ＩＤは、携帯電話機３０から大型ディスプレイ３５に送信され、大型ディスプレイ３５から表示連動システム１０に対しては、携帯電話ＩＤと大型ディスプレイ３５の表示装置ＩＤとが関連付けられて連携要求として送信される。連携要求として関連付けられて送信される携帯電話ＩＤ及び表示装置ＩＤは、表示連動システム１０の第二送受信部１０４が受信して連携管理部１０３に出力する。連携管理部１０３は、この受信した連携要求の内容を確認し、格納領域１５０の連携情報格納部１５１に格納する。このように連携要求を受け付けると、連携管理部１０３は携帯電話機３０のディスプレイ部にどのようなデータが表示されているかを監視し、その表示されているデータが変更されれば第二配信情報生成部１０５に対して対応するデータを生成するように指示を行う。
【００２９】
ここで、連携情報格納部１５１に格納されている情報の例を図２に示す。図２に示す例によれば、連係情報格納部１５１には連携要求を送信してきた携帯電話機及び大型ディスプレイのそれぞれを特定する情報が相互に関連付けられて格納されている。例えば、「携帯電話ＩＤ」が「Ｋ００１」であって「機種コード」が「２２０１」である携帯電話機と、「表示装置ＩＤ」が「Ｄ００１」であって「機種コード」が「２２２０１」である表示装置とが連携するように登録されている。
【００３０】
図１に戻って、更に連携管理部１０３は、携帯電話機３０においてディスプレイ部に表示されているデータの表示範囲が変更された場合に、その変更に関する情報を受信する。例えば、携帯電話機３０においてディスプレイ部に表示されているウェブページがスクロールされた場合には、そのスクロールに関する情報を受信する。連携管理部１０３は、この受信した情報を制御量抽出部１０６に出力する。
【００３１】
制御量抽出部１０６は、連携管理部１０３から出力される変更に関する情報に基づいて、携帯電話機３０のディスプレイ部に表示されているデータの表示範囲の変更量を抽出する部分である。例えば、携帯電話機３０においてディスプレイ部に表示されているウェブページがスクロールされた場合には、そのスクロール量を抽出する。制御量抽出部１０６は、この抽出した変更量（スクロール量）を制御量決定部１０７に出力する。
【００３２】
制御量決定部１０７は、制御量抽出部１０６が出力する変更量に基づいて大型ディスプレイ３５のディスプレイ部に表示されているデータの表示範囲の変更量を決定する部分である。例えば、携帯電話機３０においてディスプレイ部に表示されているウェブページがスクロールされた場合には、大型ディスプレイ３５のディスプレイ部に表示されている対応するウェブページのスクロール量を決定する。より具体的には、携帯電話機３０のディスプレイ部の画面サイズが２．２インチで縦方向が２４０ドットであり、大型ディスプレイ３５のディスプレイ部の画面サイズが４２インチで縦方向が１０２４ドットの場合には、携帯電話機３０のディスプレイ部における変更量（スクロール量）の約５倍分の変更量（スクロール量）を、大型ディスプレイ３５のディスプレイ部における変更量（スクロール量）として決定する。制御量決定部１０７は、格納領域１５０の端末情報格納部１５３に格納されている情報に基づいてこの決定を行う。制御量決定部１０７は、決定した変更量を第二配信情報生成部１０５に出力する。第二配信情報生成部１０５はこの出力された変更量に基づいて大型ディスプレイ３５に表示するデータを生成して第二送受信部１０４に出力する。第二送受信部１０４はこの生成されたデータを大型ディスプレイ３５に送信する。
【００３３】
尚、本実施形態では、表示連動システム１０において生成したデータを大型ディスプレイ３５に送信して表示しているが、大型ディスプレイ３５においてそのデータを生成するようにしてもよい。また、表示しているデータの変更量（スクロール量）についても同様である。
【００３４】
引き続いて、本実施形態の表示連動システム１０の動作について図５に示すシーケンス図を参照しながら説明する。
【００３５】
ユーザは、利用しようとする大型ディスプレイ３５の近傍に行き、自身の携帯電話機３０に連携指示を入力する（Ｓ０１）。携帯電話機３０は連携指示に自身の携帯電話ＩＤを付加し、短距離無線通信を利用して大型ディスプレイ３５にその連携指示を送信する（Ｓ０２）。
【００３６】
大型ディスプレイ３５は、受信した連携指示に自身の表示装置ＩＤを付加し、固定網４５を介して表示連動システム１０に送信する（Ｓ０３）。この連携指示は表示連動システム１０の第二送受信部１０４が受信して連携管理部１０３に出力する。
【００３７】
連携管理部１０３は、出力された連携指示に基づいて、格納領域１５０の連携情報格納部１５１に携帯電話機３０の携帯電話ＩＤと大型ディスプレイ３５の表示装置ＩＤとを関連付けて格納し、携帯電話機３０と大型ディスプレイ３５との連携管理を開始する（Ｓ０４）。
【００３８】
連携管理が開始された状態で、ユーザは携帯電話機３０に閲覧を希望する情報の配信要求を入力する（Ｓ０５）。この配信要求には情報ＩＤや、特定のウェブページのＵＲＬ等が含まれる。携帯電話機３０はこの配信要求を、自身の携帯電話ＩＤと共に表示連動システム１０に送信する（Ｓ０６）。
【００３９】
携帯電話機３０が送信する配信要求は表示連動システム１０の第一送受信部１０１が受信し、連携管理部１０３に出力する。連携管理部１０３は、第一配信情報生成部１０２には携帯電話機３０のディスプレイ部に表示するのに適切なデータを生成するように指示を出力し、第二配信情報生成部１０５には大型ディスプレイ３５のディスプレイ部に表示するのに適切なデータを生成するように指示を出力する（Ｓ０７）。
【００４０】
第一配信情報生成部１０２は、連携管理部１０３から出力される指示に基づいて、携帯電話機３０に表示するためのデータを生成する（Ｓ０８）。第一配信情報生成部１０２は、この生成したデータを第一送受信部１０１に出力する。第一送受信部１０１はこのデータを携帯電話機３０に送信する（Ｓ０９）。従って、携帯電話機３０ではディスプレイ部にこの受信したデータを表示することができる。
【００４１】
第二配信情報生成部１０５は、連携管理部１０３から出力される指示に基づいて、大型ディスプレイ３５に表示するためのデータを生成する（Ｓ１０）。第二配信情報生成部１０５は、この生成したデータを第二送受信部１０４に出力する。第二送受信部１０４はこのデータを大型ディスプレイ３５に送信する（Ｓ１１）。従って、大型ディスプレイ３５ではディスプレイ部にこの受信したデータ、すなわち携帯電話機３０のディスプレイ部に表示されているデータと対応するデータを表示することができる。
【００４２】
携帯電話機３０及び大型ディスプレイ部３５それぞれのディスプレイ部に対応するデータが表示されている状態で、ユーザは携帯電話機３０に表示されているデータの表示範囲を変更する指示（スクロール指示）を入力する（Ｓ１２）。携帯電話機３０はこのスクロール指示を表示連動システム１０に送信する（Ｓ１３）。
【００４３】
携帯電話機３０が送信するスクロール指示は表示連動システム１０の第一送受信部１０１が受信し、連携管理部１０３に出力する。連携管理部１０３は、このスクロール指示に基づいて大型ディスプレイ３５に表示されているデータもスクロールさせるように、制御量抽出部１０６に対してスクロール指示を出力する（Ｓ１４）。
【００４４】
制御量抽出部１０６は、連携管理部１０３から出力されるスクロール指示に基づいて、携帯電話機３０のディスプレイ部に表示されているスクロール量を抽出する（Ｓ１５）。制御量抽出部１０６は抽出したスクロール量を制御量決定部１０７に出力する（Ｓ１６）。
【００４５】
制御量決定部１０７は、制御量抽出部１０６が出力するスクロール量に基づいて大型ディスプレイ３５のディスプレイ部に表示されているデータのスクロール量を決定する（Ｓ１７）。制御量決定部１０７は、決定したスクロール量を第二配信情報生成部１０５に出力する（Ｓ１８）。
【００４６】
第二配信情報生成部１０５はこの出力されたスクロール量に基づいて大型ディスプレイ３５に表示するデータを生成して第二送受信部１０４に出力する。第二送受信部１０４はこの生成されたデータをスクロール指示として大型ディスプレイ３５に送信する（Ｓ１９）。従って、携帯電話機３０でのスクロール動作に連動して、大型ディスプレイ３５のディスプレイ部に表示されているデータをスクロールすることができる。
【図面の簡単な説明】
【００４７】
【図１】本発明の実施形態である表示連動システムの構成を示す図である。
【図２】図１の連係情報格納部に格納されている情報の例を示す図である。
【図３】図１の配信情報格納部に格納されている情報の例を示す図である。
【図４】図１の端末情報格納部に格納されている情報の例を示す図である。
【図５】本発明の実施形態である表示連動システムの動作を説明するためのシーケンス図である。
【図６】本発明の実施形態である表示連動システムを用いて提供できるサービスを説明するための図である。
【図７】本発明の実施形態である表示連動システムを用いて提供できるサービスを説明するための図である。
【図８】本発明の実施形態である表示連動システムを用いて提供できるサービスを説明するための図である。
【符号の説明】
【００４８】
１０…表示連動システム、３０…携帯電話機、３５…大型ディスプレイ、４０…移動体通信網、４５…固定網、１０１…第一送受信部、１０２…第一配信情報生成部、１０３…連携管理部、１０４…第二送受信部、１０５…第二配信情報生成部、１０６…制御量抽出部、１０７…制御量決定部、１５０…格納領域、１５１…連携情報格納部、１５２…配信情報格納部、１５３…端末情報格納部。
【図１】
2005149230.tif 000003
【図２】
2005149230.tif 000004
【図３】
2005149230.tif 000005
【図４】
2005149230.tif 000006
【図５】
2005149230.tif 000007
【図６】
2005149230.tif 000008
【図７】
2005149230.tif 000009
【図８】
2005149230.tif 000010